(57)【要約】【課題】装置本体に平面表示パネルを内蔵した薄型テレビジョン装置において、これを簡単に正立状態で保持できる構造を提供し、組立、梱包、開梱、搬入、設置などの過程における作業者の負担を軽減する。【解決手段】装置本体２の上部中央にブラケット１０を設け、このブラケット１０を使ってリフター１５などで装置本体２を前後左右のバランスが取れた正立状態で吊り上げることができる構造とする。【選択図】図５
2007329672.tif 000002
【特許請求の範囲】
【請求項１】
装置本体に平面表示パネルを内蔵した薄型テレビジョン装置において、
上記装置本体の上部に、上記装置本体を前後左右のバランスが取れた正立状態で吊り上げるためのブラケットを設けたことを特徴とする薄型テレビジョン装置。
【請求項２】
上記ブラケットは、上記装置本体に内蔵される上記平面表示パネルに取り付けられることを特徴とする請求項１に記載の薄型テレビジョン装置。
【請求項３】
上記ブラケットは、上記装置本体に対し着脱自在に取り付けられることを特徴とする請求項１に記載の薄型テレビジョン装置。
【請求項４】
上記ブラケットは、上記装置本体から出没自在に取り付けられることを特徴とする請求項１に記載の薄型テレビジョン装置。
【発明の詳細な説明】
【技術分野】
【０００１】
本発明は薄型テレビジョン装置に関し、特に装置本体を正立状態に保持するための構造に係るものである。
【背景技術】
【０００２】
近年テレビジョン装置としては、大画面の薄型テレビジョン装置が広く普及している。一般にこの薄型テレビジョン装置は、平面表示パネルとして例えば液晶表示パネルを内蔵して構成されており、この液晶表示パネルの表示画面が正面を向くように垂直に立てた状態(正立状態)で設置する構造を有している（例えば特許文献１参照）。
【特許文献１】特開２００５−３５２３３３号公報
【発明の開示】
【発明が解決しようとする課題】
【０００３】
ところで、このような薄型テレビジョン装置に用いられる液晶表示パネルは、一般に画面の表面がガラスで形成されている。薄型テレビジョン装置では、近年さらなる大画面化が進んでいるが、液晶表示パネルは大画面化が進んでも表面のガラスの厚みは変わらないので、薄型テレビジョン装置を傾けると画面中央部のガラスが自重によって撓み、最悪の場合、強度不足からガラス割れの不良が発生するおそれがある。
【０００４】
このため大画面の薄型テレビジョン装置は、製造組立、梱包、開梱、搬入、設置など全ての過程において、天地方向に対し傾けることを避け、常に正立状態を保つ必要性がある。またこの薄型テレビジョン装置の搬入においては、住宅事情の都合上、玄関や廊下から搬入することが困難で、窓からしか搬入できないというケースも増えてくると思われる。
【０００５】
しかしながら、薄型テレビジョン装置は大画面化による重量増のため、作業者が薄型テレビジョン装置の正立状態を保持したまま組立、梱包、開梱、搬入、設置などを行うことは困難であり、大画面化が進むにつれて作業負担が大きくなって作業者の人数を余計に必要とすることになる。
【０００６】
また薄型テレビジョン装置は、その特長である奥行きが少ないことから、保持できる部分も限られるので、力が入りにくく、保持できたとしても作業者の体格や筋力に差がある場合、バランスよく正立状態を保つことは難しく、うっかり傾けると液晶表示パネルのガラスを割ってしまうおそれがある。
【０００７】
こうしたことから、住宅事情の都合等で搬入、設置が困難という理由で顧客が薄型テレビジョン装置の購入を諦める原因ともなっていた。
【０００８】
本発明は斯かる点に鑑みてなされたもので、薄型テレビジョン装置を簡単に正立状態で保持できる構造を提供し、上記の問題点を解消することを目的とする。
【課題を解決するための手段】
【０００９】
上記の目的を達成するため本発明は、装置本体に平面表示パネルを内蔵した薄型テレビジョン装置において、装置本体の上部に、この装置本体を前後左右のバランスが取れた正立状態で吊り上げるためのブラケットを設けたことを特徴とするものである。
ここでブラケットは、装置本体に内蔵される平面表示パネルに取り付けられるものとする。またブラケットは、装置本体に対し着脱自在に取り付けられるものとすることが好ましい。さらにブラケットは、装置本体から出没自在に取り付けられるものとしてもよい。
【発明の効果】
【００１０】
上記の如く構成される本発明の薄型テレビジョン装置は、装置本体の上部に設けられたブラケットを使ってリフターやクレーンなどで容易に正立状態を保ちながら吊り上げることができるので、平面表示パネルのガラスが割れるおそれはない。
【００１１】
そしてこのようにして薄型テレビジョン装置を吊り上げることにより、装置の製造組立や梱包などの過程において作業者の負担を減らすことができるので、作業を連続して行うことができて生産性が向上し、また少ない作業者で作業ができるので生産コストを低減させることができる。さらに開梱、搬入、設置などの過程でも作業者の負担を減らすことができるので、作業性が向上し、また作業コストを低減させることができる。
【００１２】
またこの薄型テレビジョン装置を家庭に設置するときに、住宅事情の制約で玄関や廊下などが通らない場合でも、本発明による吊り上げ構造を使えば、窓からの搬入も容易に行うことができる。
【００１３】
そして本発明の薄型テレビジョン装置は、従来の薄型テレビジョン装置に吊り上げ用のブラケットを追加しただけの部品増なので、最小限のコストアップで実施が可能なものである。
【発明を実施するための最良の形態】
【００１４】
以下、図面を参照しながら本発明の実施例について詳細に説明する。
図１は本発明を適用した薄型テレビジョン装置の前方から見た斜視図、図２は同、後方から見た斜視図、図３は同、分解斜視図である。
【００１５】
図１及び図２に示す如く本例の薄型テレビジョン装置１は、前面に大型の表示画面を有する装置本体２と、この装置本体２を正立状態で支持するスタンド６と、により構成される。ここで装置本体２は図３に示すように、フロントベズル３とリアカバー４を組み合わせてなる外装体に平面表示パネルとして液晶表示パネル５を内蔵にして構成され、この装置本体２のリアカバー４の背面中央部にスタンド６がビス止めによって固定される。
【００１６】
装置本体２に内蔵される液晶表示パネル５は前面側に表示画面５ａを有し、この表示画面５ａが装置本体２の前面に表出され、またこの液晶表示パネル５の背面側には電気回路基板７や放熱ファン８等が実装されている。
【００１７】
ここで液晶表示パネル５は、表示画面５ａの表面がガラスで出来ているため、装置本体２を傾けるとガラスが自重によって撓んで割れてしまうおそれがある。そのためこの種の薄型テレビジョン装置では、製造組立、梱包、開梱、搬入、設置など全ての過程において、常に表示画面が正面を向いた正立状態を保つ必要があるが、画面の大型化に伴って装置全体の重量も重くなる(例えば７０インチの画面で約８０ｋｇ、８０インチの画面で約１３０ｋｇ)ので、作業者にとって大きな負担となっていた。
【００１８】
そこで本例の薄型テレビジョン装置１では、これを容易に正立状態で保持するための構造として、装置本体２の上部に、この装置本体２を吊り上げるためのブラケット１０を設けてある。
【００１９】
このブラケット１０は、例えば鉄板のような剛体によりなり、液晶表示パネル５の製造時、あるいは装置本体２の組立工程において液晶表示パネル単体を梱包材から取り出した時点でこのブラケット１０を液晶表示パネル５に取り付けるようにする。ここで図４に示す如くブラケット１０は、複数本のビス１１によって液晶表示パネル５の上部中央の装着部１２に着脱自在に取り付けられる。このブラケット１０は引掛け用の穴１０ａが形成された凸部１０ｂを有し、この凸部１０ｂがリアカバー４に形成された開口１３を通して突出される。
【００２０】
そして本例の薄型テレビジョン装置１は、このブラケット１０を使ってリフターやクレーンなどで正立状態を保ちながら吊り上げられるものである。
図５は本例の薄型テレビジョン装置１をリフターで吊り上げた状態を示し、図６はその主要部の拡大図である。即ちこの例では、リフター１５のフック１６をブラケット１０の穴１０ａに通すように引掛け、その状態でリフター１５を上昇させて薄型テレビジョン装置１を吊り上げるようにする。この場合、ブラケット１０が装置本体２の上部中央に設けられていることで、薄型テレビジョン装置１は前後左右のバランスが取れた正立状態を保ちながら安定した姿勢で吊り上げられる。
【００２１】
この場合、薄型テレビジョン装置の組立工程において、先に液晶表示パネル５をリフター１５で吊り上げておき、その状態からフロントベズル３とリアカバー４及びスタンド６を組み付けて薄型テレビジョン装置１を完成させるようにする。この薄型テレビジョン装置の組立工程においては、例えば「スタンドを取り付けるときまで」のように組立ラインで部分的に吊り上げる場合や、組立ラインで一貫して吊り上げ状態を保つ場合も考えられる。
【００２２】
また、薄型テレビジョン装置をエージングルームへ移動させるときや、梱包の際にも、このブラケット１０を使って薄型テレビジョン装置を吊り上げて作業を行うようにする。さらに、薄型テレビジョン装置を開梱するときや、搬入、設置の際にも、このブラケット１０を使って薄型テレビジョン装置を吊り上げて作業を行うことができる。さらに壁掛け設置の場合は、このブラケット１０を利用して簡単に薄型テレビジョン装置を壁に掛けることができる。
【００２３】
なお、このブラケット１０が不要となった場合は、ビス１１を外すことによってブラケット１０を簡単に取り外すことができ、また再びブラケット１０が必要となったときには、ビス１１によってブラケット１０を簡単に取り付けることができる。この場合、ビス１１の取り付け及び取り外し作業は、リアカバー４に形成された通し穴１４にドライバーを通すことによって行われる。
【００２４】
以上の如く構成される本例の薄型テレビジョン装置１は、装置本体２の上部中央に設けられブラケット１０を使ってリフターやクレーンなどで容易に正立状態を保ちながら吊り上げることができるので、液晶表示パネル５のガラスが割れるおそれはない。
【００２５】
そしてこのようにして薄型テレビジョン装置１を吊り上げることにより、装置の製造組立や梱包などの過程において作業者の負担を減らすことができるので、作業を連続して行うことができて生産性が向上し、また少ない作業者で作業ができるので生産コストを低減させることができる。さらに開梱、搬入、設置などの過程でも作業者の負担を減らすことができるので、作業性が向上し、また作業コストを低減させることができる。
【００２６】
またこの薄型テレビジョン装置１を家庭に設置するときに、住宅事情の制約で玄関や廊下などが通らない場合でも、本例の吊り上げ構造を採用することにより、窓からの搬入も容易に行うことが可能である。
【００２７】
そして本例の薄型テレビジョン装置１は、従来の薄型テレビジョン装置に吊り上げ用のブラケット１０を追加しただけの簡単な構成なので、最小限のコスト増加で実施が可能なものである。
【００２８】
また特に本例の薄型テレビジョン装置１では、ブラケット１０がビス止めによって着脱自在に取り付けられているため、このブラケット１０が不要となった場合にはこれを簡単に取り外すことができるので、薄型テレビジョン装置の設置後にブラケットが邪魔となるようなことはなく、またブラケットが薄型テレビジョン装置の外観性を損なうこともない。
【００２９】
なお、上記構成においてブラケット１０は、例えば鉄板のような剛体により形成されているが、強度が充分に確保されれば、これをプラスチックなどで製作することにより、例えばハンドル形状のような、より自由度の高いデザインのブラケットとすることが可能である。
【００３０】
図７は、ブラケットを装置本体から出没自在に設けた例を示す。この例においては、液晶表示パネル５に固定された保持装置１８から出没するようにスライド自在にブラケット１０が設けられており、ここで保持装置１８は、いわゆるプッシュ・プッシュ機構を内蔵し、即ちブラケット１０を上方から押し込む度に、ブラケット１０が開口１３から突出した位置(Ａ)と引込んだ位置(Ｂ)の二位置において固定保持されるようになっている。
【００３１】
そしてブラケット１０を使用しないときには、これを引込み位置に収納させるようにすれば、ブラケットが邪魔となるようなことはなく、またブラケットが薄型テレビジョン装置の外観性を損なうこともない。
【００３２】
なお、ブラケットを出没自在に設ける構成としては、上記以外にも、例えばブラケットを回転移動させる構造や、ブラケットを折り畳む構造など、様々な構成が考えられる。
【００３３】
また以上の構成においては、ブラケット１０を取り外した状態あるいはブラケット１０を収納させた状態で、図８に示す如く開口１３を塞ぐための蓋２０を備えるとよい。即ちこの蓋２０を嵌め込んで開口１３を塞ぐことにより、開口１３から装置本体内に塵埃や異物が侵入することを確実に防止することができ、また開口１３が塞がれることで薄型テレビジョン装置の外観性を良好とすることができる。
【００３４】
以上、本発明の実施例について説明したが、本発明はこの実施例の構成に限定されることなく、他にも種々の実施形態を採り得るものであることは言うまでもない。
【図面の簡単な説明】
【００３５】
【図１】実施例の薄型テレビジョン装置を前方から見た斜視図である。
【図２】実施例の薄型テレビジョン装置を後方から見た斜視図である。
【図３】実施例の薄型テレビジョン装置の分解斜視図である。
【図４】ブラケットの取り付け構造を示す図である。
【図５】実施例の薄型テレビジョン装置をリフターで吊り上げた例を示す図である。
【図６】図５の主要部の拡大図である。
【図７】ブラケットを出没自在とした例を示す図である。
【図８】開口を塞ぐ蓋の例を示す図である。
【符号の説明】
【００３６】
１…薄型テレビジョン装置、２…装置本体、３…フロントベズル、４…リアカバー、５…液晶表示パネル(平面表示パネル)、１０…ブラケット、１５…リフター
【図１】
2007329672.tif 000003
【図２】
2007329672.tif 000004
【図３】
2007329672.tif 000005
【図４】
2007329672.tif 000006
【図５】
2007329672.tif 000007
【図６】
2007329672.tif 000008
【図７】
2007329672.tif 000009
【図８】
2007329672.tif 000010